(57)【要約】【課題】  本発明は、ユーザのお気に入りのカテゴリー(ジャンル)の番組の録画予約をスムーズに行うことができる記録再生装置を提供することを目的とする。【解決手段】  本発明の記録再生装置は、複数の番組情報から、あらかじめ指定された所定のジャンルの番組情報を抽出する抽出手段と、抽出された番組情報を番組表とするととともに、複数の番組情報を番組表とするとともに、抽出された番組情報の番組表と、複数の番組情報の番組表とを同一画面上に表示させるように出力する出力手段とを備え、両番組表のいずれからも指定された番組の予約録画を行うように構成したことを特徴とする。【選択図】      図２
2008060736.tif 000002
【特許請求の範囲】
【請求項１】
外部からの複数の番組情報を記憶する記憶手段と、
前記記憶手段に記憶されている前記複数の番組情報から、あらかじめ指定された所定のジャンルの番組情報を抽出する抽出手段と、
前記抽出手段により抽出された番組情報を番組表とするととともに、前記複数の番組情報を番組表とするとともに、前記抽出された番組情報の番組表と、前記複数の番組情報の番組表とを同一画面上に表示させるように出力する出力手段と
を備え、
前記抽出された番組情報の番組表若しくは前記複数の番組情報の番組表のいずれからも指定された番組の予約録画を行うように構成したことを特徴とする記録再生装置。
【請求項２】
前記抽出された番組情報の番組表と、前記複数の番組情報の番組表とでは、前記所定のジャンルの各々は、画面上において同色で表示されるように出力することを特徴とする請求項１記載の記録再生装置。
【請求項３】
前記抽出された番組情報の番組表で特定の番組情報が指定されると、前記複数の番組情報の番組表では、前記特定の番組情報が、前記複数の番組情報の番組表の先頭に表示されることを特徴とする請求項２記載の記録再生装置。
【請求項４】
前記抽出された番組情報の番組表で特定の番組情報に対して予約録画を指示されると、前記複数の番組情報の番組表の前記特定の番組情報に対応する番組情報に、予約録画が設定された旨の表示を付すことを特徴とする請求項３記載の記録再生装置。
【請求項５】
前記抽出された番組情報の番組表の前記所定のジャンル毎に、録画の条件を設定し、前記所定のジャンルの特定の番組情報に対して録画が指定された場合には、設定された前記録画の条件にしたがって録画を行うことを特徴とする請求項１記載の記録再生装置。
【発明の詳細な説明】
【技術分野】
【０００１】
本発明は、情報を記録，再生可能な記録再生装置に関する。
【背景技術】
【０００２】
放送局もしくは特定のサーバから送信された電子番組ガイド(EPG：Electronic Program Guide)をテレビの画面に表示させ、これを用いて特定の番組(プログラム)を予約録画する装置が知られている。
【０００３】
上記に関し、番組のカテゴリーを表示し、表示された前記番組のカテゴリーから希望する１つのカテゴリーを選択できるようにし、選択された１つのカテゴリーに対応する番組のあるチャンネルと放送時間を表として表示するようにし、表示された表の中から希望する１つの番組を選択できるようにした装置が知られている(特許文献１)。
【特許文献１】特開平10-191193号公報
【発明の開示】
【発明が解決しようとする課題】
【０００４】
しかし、従来の装置は、選択された１つのカテゴリーに対応する番組のあるチャンネルと放送時間を表として表示するため、ユーザのお気に入りのカテゴリー(ユーザが選択した１つのカテゴリー)のみを表示させることはできるものの、この表を利用した録画予約については考慮されていなかった。このため、番組の録画予約を行う場合、他のカテゴリーの番組情報が消去されているため、ユーザは、予約状況が不明であり、それを確認するには再度放送番組表を表示させる必要があり、録画予約に手間がかかるという問題点があった。
【０００５】
本発明は、ユーザのお気に入りのカテゴリー(ジャンル)の番組の録画予約をスムーズに行うことができる記録再生装置を提供することを目的とする。
【課題を解決するための手段】
【０００６】
上記目的を達成するために、本発明の記録再生装置は、外部からの複数の番組情報を記憶する記憶手段と、
前記記憶手段に記憶されている前記複数の番組情報から、あらかじめ指定された所定のジャンルの番組情報を抽出する抽出手段と、
前記抽出手段により抽出された番組情報を番組表とするととともに、前記複数の番組情報を番組表とするとともに、前記抽出された番組情報の番組表と、前記複数の番組情報の番組表とを同一画面上に表示させるように出力する出力手段と
【０００７】
を備え、
前記抽出された番組情報の番組表若しくは前記複数の番組情報の番組表のいずれからも指定された番組の予約録画を行うように構成したことを特徴とする。
そして、あらかじめ指定された所定のジャンルの番組情報の番組表からも、特定の番組予約ができるので、ユーザのお気に入りのカテゴリー(ジャンル)の番組の録画予約をスムーズに行うことができる。
【０００８】
また、前記抽出された番組情報の番組表と、前記複数の番組情報の番組表とでは、前記所定のジャンルの各々は、画面上において同色で表示されるように出力することを特徴とする。
【０００９】
そして、前記抽出された番組情報の番組表と、前記複数の番組情報の番組表とで、同じジャンルの番組情報が互いに同色で表示されるので、ユーザは、各ジャンルの番組情報が両番組表のどこに配置されているかを容易に把握することができる。
【００１０】
また、前記抽出された番組情報の番組表で特定の番組情報が指定されると、前記複数の番組情報の番組表では、前記特定の番組情報が、前記複数の番組情報の番組表の先頭に表示されることを特徴とする。
【００１１】
そして、前記抽出された番組情報の番組表での特定の番組情報の指定に連動して、該特定の番組情報が前記複数の番組情報の番組表でも先頭に表示されるので、ユーザは、対応関係を容易に把握することができる。
【００１２】
また、前記抽出された番組情報の番組表で特定の番組情報に対して予約録画を指示されると、前記複数の番組情報の番組表の前記特定の番組情報に対応する番組情報に、予約録画が設定された旨の表示を付すことを特徴とする。
【００１３】
また、前記抽出された番組情報の番組表の前記所定のジャンル毎に、録画の条件を設定し、前記所定のジャンルの特定の番組情報に対して録画が指定された場合には、設定された前記録画の条件にしたがって録画を行うことを特徴とする。
【発明の効果】
【００１４】
本発明によれば、ユーザのお気に入りのカテゴリー(ジャンル)の番組の録画予約をスムーズに行うことができる。
【発明を実施するための最良の形態】
【００１５】
以下、図面を参照して本発明の実施の形態を説明する。
図１は、本発明に係る実施形態を備えた記録再生装置10の概略ブロック図である。図１において、この実施形態に示される記録再生装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。また、いわゆる衛星（ＢＳ／ＣＳ）放送の受信アンテナ（以下、衛星アンテナと略称する）３０からの受信信号が、外付けの衛星放送の受信チューナ（以下、ＢＳ／ＣＳチューナと略称する）３１に供給され、受信復調されたデジタルデータ信号と、さらにデコードされたアナログテレビジョン信号が取り出される。さらに、外付けのＢＳ／ＣＳチューナ３１から取り出されるアナログテレビジョン信号が、記録再生装置１０のアナログ入力端子１２に供給されると共に、ＢＳ／ＣＳチューナ３１から取り出されるデジタルデータ信号が、記録再生装置１０のデータ入力端子１３に供給される。
【００１６】
そして、データ入力端子１３に供給されるデジタルデータ信号が、制御ＣＰＵ（ＣｅｎｔｒａｌＰｒｏｃｅｓｓｉｎｇ Ｕｎｉｔ）２に供給され、例えばデジタルデータ信号中に含まれる電子番組表（Electric Program Guide：以下、EPGと略称する）のデータが取得されて、電子番組表が形成される。 また、記録再生装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。そして、例えば形成される電子番組表を用いて、記録される所望の番組の放送時間帯と放送チャンネル等が設定され、この設定された内容に応じて記録手段となる録画装置３が駆動されると共に、内蔵の地上波チューナ１及び外付けのＢＳ／ＣＳチューナ３１に選局等の制御信号が供給される。これによって、内蔵の地上波チューナ１及び外付けのＢＳ／ＣＳチューナ３１で、受信復調及びデコードされたテレビジョン信号の映像信号及び音声信号等が録画装置３に記録される。なお、録画装置３での記録再生に当っては、周知のＡ／Ｄ、Ｄ／Ａ変換等が行われるが、図示は省略する。さらに、録画装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の放音等が行われる。
【００１７】
また、制御ＣＰＵ２で形成された電子番組表の画像や、その他の操作ガイドの画像が、混合器４に供給され、録画装置３から再生される映像信号に重畳される。これにより、これらの電子番組表や操作ガイド等の画像は、受像機４０で受像される映像信号の画面に重畳して表示される。これらの電子番組表や操作ガイド等の画像を見ながら、あるいは見ずに、リモートコントロール装置５０を用いて、記録再生装置１０の制御が行われる。なお、制御は、リモートコントロール装置５０からの信号がリモートコントロール受信機１５で受信され、その受信信号が制御ＣＰＵ２に供給されて行われる。そして、記録再生装置１０において、ＥＰＧのデータが取得されて電子番組表が形成されると、例えば、図２に示すような電子番組表の画像が受像機４０に表示される。なお、図２の電子番組表をいかに表示させるかについては、後述する。
【００１８】
次に、図２に示す時系列番組表とFavorite番組表の同時表示例，図３の記録再生装置１０の番組情報表示処理動作のフローチャート，図４のEPGデータ例，図５のリモコンを参照して、記録再生装置10における時系列番組表とFavorite番組表の同時表示について説明する。
【００１９】
図２は、時系列番組表(紙面上側)とFavorite番組表(紙面下側)の同時表示例である。図２では、上段に時系列番組表、下段にFavorite番組表を表示し、リストの選択は、図６のリモコンの例えば上下キー，左右キー，図示しない専用キーなどで切換可能とする。Favoriteの番組表の番組は、日付，CH，番組名、放送時間などを表示する。最下段には、カレントカーソル位置の番組説明（放送日時、チャンネル名、内容、放映内容など）を表示できる。図２において、Favorite番組表は、例えば、ジャンルとして「スポーツ」と「映画」をFavorite(画面上では、FAV1，FAV2)に登録をした場合、各放送局のEPGデータ(図４参照。8日分。例えば、録画装置3に記憶されている)を検索し、ジャンルが合致した番組を抽出し、その番組とORを取った番組情報をFavorite番組表に表示することにより表示できる。
【００２０】
図２のFavorite番組表において、ユーザが、特定の番組(例えば、FAV1：スポーツのTennis；放送日02月02日，A CH，放送時間19:00-23:00)を選択し、図５のリモコンの特定キー（決定）を押下すると、上段の時系列番組表は、選択した番組を先頭とした時系列番組表を表示する。つまり、Favorite番組表において「Tennis」を押下すると、時系列番組表では、02月02日のA CHの19:00放送開始の「Tennis」を先頭としたリストが表示される。また、他のCH(B，C，D)も19:00以降の番組から表示されるようになる。
【００２１】
また、同様に、Favorite番組表において、ユーザが、特定の番組(例えば、FAV1：スポーツのTennis；放送日02月02日，A CH，放送時間19:00-23:00)を選択し、図５のリモコンの特定キー（予約）を押下すると、これが時系列番組表にも反映され、図示するように、予約マーク（例えば、黒星マーク）が表示される。
【００２２】
なお、図２のFavorite番組表は、抽出した番組が表示領域に表示することができない場合、スクロールして表示できる。これは、例えば、FAV1が9件あり、画面に4件しか表示できない場合に、4件目の「2/5  D CH  BaseBall  19:00-21:00」の位置でリモコン（特定キー：例えば、右矢印キー）を押下すると、5件目以降の表示が可能となる。また、1件目にカーソルがある時に、リモコンの特定キー(例えば、左矢印キー）を押下すると、9件目の番組を表示するように構成してもよい。
【００２３】
さらに、Favorite番組表は、ユーザが複数のFavorite(お気に入り)を登録していた場合には、全てのFavoriteを表示領域に表示することができない場合、スクロールして表示できるようにしてもよい。これは、Favoriteが9件あり、画面に2件しか表示できない場合に、2件目のリストの位置でリモコン（特定キー：例えば、下矢印キー）を押下すると、3件目以降の表示が順次される。
【００２４】
なお、時系列番組表と、Favorite番組表との対応がユーザに対してわかりやすいように、同じジャンルの番組は、同色で表示するようにしてもよい。この場合、例えば、Favorite番組表のジャンル「映画」の「Flash Back」と、時系列番組表のD CHの「Flash Back」はもちろん、B CHの「Detective」も同色で表示される。
【００２５】
図２では、時系列番組表とFavorite番組表とが同一画面上に表示されているが、どちらか一方のみを表示させることもできる。これは、図５のリモコンのFAV(Favorite)キー若しくは記録再生装置10の図示しない電源ボタンを押下することにより切り替える。
【００２６】
図３のフローチャートに示すように、FAVキーの押下をチェックすることにより、表示させる番組表を順次切り替える。
まず、リモコンのFAVキーが押下されたか否かをチェックし(ステップ301)、制御CPU2がリモートコントロール受信器15を介して押下されたことを検出すると、図２の紙面上側の時系列番組表のみを画面に表示させる(ステップ302)。なお、時系列番組表は、画面全体に表示させてもよいし、図２のように、画面上側のみに表示させてもよい。次に、もう1度FAVキーが押下されたか否かをチェックし(ステップ303)、押下が検出されると、Favorite番組表のみを画面に表示させる(ステップ304)。なお、Favorite番組表は、画面全体に表示させてもよいし、図２のように、画面下側のみに表示させてもよい。次に、もう1度FAVキーが押下されたか否かをチェックし(ステップ305)、押下が検出されると、図２に示すように時系列番組表とFavorite番組表の両方を表示させる。さらに、FAVキーが押下される(ステップ307)と、再び時系列番組表のみを表示させる(ステップ302)。なお、ステップ301，303，305，307でNoの場合、つまりFAVキーの押下が検出できない場合は、時系列番組表のみを画面に表示させる(ステップ308)。
【００２７】
なお、表示の切り替えは、FAVキーに限らず、例えば、トグル方式，サイクリック，サブメニュで切り替えてもよい。
図６は、Favorite番組表(図２)のFavoriteの設定例を示す。画面には、Favorite登録として、図４のEPGデータから図２のFavorite番組表に表示させる番組の抽出条件と、Favorite番組表からの予約録画実施時の録画品質等の設定ができる。
【００２８】
この中で、「ON」は、Favorite番組表で表示するかの設定を行う部分で、例えば、FAV1の表示が「OFF」ならば、Favorite番組表のFAV1の表示は行わない。「ジャンル」は、Favorite番組表の抽出キーになるジャンルを設定できる。このジャンル毎に、Favorite番組表を作成する。ジャンル設定には、「既定」と「指定」のメニューが選択可能で、「既定」の場合は、記録再生装置10があらかじめ準備している特定の組み合わせをユーザに選択可能とし、「指定」の場合は、ユーザがすべてのジャンル一覧からジャンルを選択させる。「録画モード」は、Favorite番組表からリモコンの特定キー（例えば、予約キー）押下で予約した場合の予約録画の録画画質を設定できる。「録画モード」では、「既定」と「指定」メニューが選択可能で、「既定」は特定の組み合わせ（録画品質、音質、格納フォルダ）をユーザに選択可能とし、「指定」は録画品質、録画音質、記録先フォルダをユーザに指定させることにより、ユーザが自由な組み合わせで設定できる。「CH設定」(チャンネル設定)は、Favorite番組表のジャンルを抽出するCHを設定できる。チャンネル設定では、「全て」と「指定」メニューが選択可能で、「全て」は、受信可能なすべてのCHからFavorite番組表の情報を取得する。「指定」は、Favorite番組表の情報を取得するCHを指定する。これにより、例えば、ユーザが4，8，12CH，ジャンルが「音楽」を設定した場合、ジャンルが「音楽」の番組を4，8，12CHから選択し、Favorite番組表に表示させることができる。
【００２９】
そして、図６の設定があらかじめなされていると、図２のFavorite番組表からの予約は、簡易になる。つまり、例えば、ユーザが、図２のFavorite番組表のFAV2：映画のB CHの映画「Detective」をリモコンで選択し録画の予約を行うと、Favoriteに設定している録画モードで予約を行うことができる。録画モード内の記録先は、指定されている場合、指定先のドライブ，フォルダに格納されるが、指定されていない場合は、既定の記録先(例えば、録画装置3)，フォルダは「映画」フォルダを新規に自動的に作成して、その中に記録させる。より具体的には、B CHの映画「Detective」が指定されると、「録画モード」は「RATE」4.6，「音質」D/M1，記録先フォルダは録画装置3内の「私の映画」フォルダが設定され、録画されると、タイトル情報として、「フォルダ」私の映画，「ジャンル」映画，「タイトル名」Detective，「CH」B，「時間」20:30-22:00，「録画品質」として「RATE」4.6，「音質」D/M1が記録される。
【００３０】
以上、本実施例によれば、放送番組とFavorite番組表（ユーザーのお気に入り番組）を同一画面に表示させかつ、Favorite番組表（ユーザーのお気に入り番組）と番組表とを連動表示させることで、録画予約の操作性を向上させることが可能となる。更に、Favorite番組表（ユーザーのお気に入り番組）の予約を行った場合、あらかじめユーザの指定したお気に入りの指定（録画品質、録画レート、記録先）で録画することが可能となる。
【図面の簡単な説明】
【００３１】
【図１】本発明の一実施の形態による記録再生装置の概略構成図。
【図２】同実施の形態にかかわる時系列番組表とFavorite番組表の同時表示例。
【図３】同実施の形態にかかわる記録再生装置１０の番組情報表示処理動作のフローチャート。
【図４】同実施の形態にかかわるEPGデータ例。
【図５】同実施の形態にかかわるリモコン。
【図６】同実施の形態にかかわるFavoriteの設定例。
【符号の説明】
【００３２】
2  制御CPU
10  記録再生装置
15  リモートコントロール受信器
50  リモートコントロール
【図１】
2008060736.tif 000003
【図２】
2008060736.tif 000004
【図３】
2008060736.tif 000005
【図４】
2008060736.tif 000006
【図５】
2008060736.tif 000007
【図６】
2008060736.tif 000008